(57)【要約】      （修正有）【課題】耐水性に優れると共に、製造時及び廃棄時において地球環境の保護に適した書籍の被覆部材及び書籍を提供する。【解決手段】書籍の表表紙を被覆する表表紙被覆部１１と、表表紙に隣接した背表紙を被覆する背表紙被覆部１２と、背表紙に隣接した裏表紙を被覆する裏表紙被覆部１３とを備え、無機化合物及び合成樹脂が配合されたシートにより形成された書籍の被覆部材において、無機化合物は炭酸カルシウム、硫酸カルシウム、硫酸バリウム、カオリン、マイカ、二酸化チタン、珪藻土、赤色ピグメント及びドロマイトが配合されると共に、合成樹脂はポリエチレンからなる。【選択図】図１
0003186138.tif 000002
【実用新案登録請求の範囲】
【請求項１】
書籍の表表紙を被覆する表表紙被覆部と、上記表表紙に隣接した背表紙を被覆する背表紙被覆部と、上記背表紙に隣接した裏表紙を被覆する裏表紙被覆部とを備え、無機化合物及び合成樹脂が配合されたシートにより形成された書籍の被覆部材において、上記無機化合物は炭酸カルシウム、硫酸カルシウム、硫酸バリウム、カオリン、マイカ、二酸化チタン、珪藻土、赤色ピグメント及びドロマイトが配合されると共に、上記合成樹脂はポリエチレンからなることを特徴とする書籍の被覆部材。
【請求項２】
主原料として上記炭酸カルシウムが配合されていると共に、副原料として上記ポリエチレンが配合されていることを特徴とする請求項１記載の書籍の被覆部材。
【請求項３】
上記炭酸カルシウムの配合率は、６０．０〜７３．５％であることを特徴とする請求項２記載の書籍の被覆部材。
【請求項４】
上記ポリエチレンの配合率は、１８．０〜４０．０％であることを特徴とする請求項２記載の書籍の被覆部材。
【請求項５】
表表紙本体を被覆する表表紙被覆部と、上記表表紙本体に隣接した背表紙本体を被覆する背表紙被覆部と、上記背表紙本体に隣接した裏表紙本体を被覆する裏表紙被覆部とを備え、上記表表紙被覆部、上記背表紙被覆部及び上記裏表紙被覆部は、炭酸カルシウム、硫酸カルシウム、硫酸バリウム、カオリン、マイカ、二酸化チタン、珪藻土、赤色ピグメント、ドロマイト及びポリエチレンの成分により形成されていることを特徴とする書籍。
【考案の詳細な説明】
【技術分野】
【０００１】
本考案は、耐水性に優れると共に、地球環境の保護に適した書籍の被覆部材及び書籍に関するものである。
【背景技術】
【０００２】
一般に、書籍の読者の多くは、電車による通勤や通学時間を利用して読書時間を確保しているため、書籍をバッグ等に収納し持ち運びすることは日常茶飯事である。
そのため、例えば、読書する際に書籍の種類を周囲に隠したい場合や、持ち運びの際に書籍に傷や汚れが付着しないように、書籍にブックカバー等の被覆部材を付ける読者は多い。
【０００３】
しかしながら、ブックカバー等の被覆部材は一般的に紙製であるため、飲食物と共にバッグ等に収納された際には、書籍の被覆部材が吸水し書籍に浸透することにより、書籍の被覆部材、書籍共にやがて形状が変化し外観が損なわれてしまうという不具合がある。
さらに、紙資源を使用しているため、森林伐採により自然界における二酸化炭素吸収量を減少させると共に、使用済みの書籍の被覆部材はゴミとして廃棄され、焼却時には二酸化炭素を発生させてしまう。
特に韓国では、ゴミ減量運動が起こり、書店でブックカバーを付ける習慣が無くなる等、地球環境に対する取り組みは全世界にまで及んでいる。
そのため、今日においては、耐水性に優れ、かつ地球環境の保護に適した書籍の被覆部材を利用することが要請されている。
【０００４】
このような観点から耐水性等の機能性を有する書籍の被覆部材として以下のような従来技術が存在する。例えば、特許文献１には、無機充填材を配合した熱可塑性樹脂により形成することで、樹脂の有する耐水性と、紙の有する隠蔽性、風合、折曲性、筆記性等の機能を兼ね備えたブックカバーが開示されている。
【０００５】
特許文献２には、ビニルや軟質合成樹脂等の水を弾く素材により形成することで、水辺や浴室等の水に濡れやすい環境で読書する場合であっても、本全体を水に濡れることから防止できるブックカバーが開示されている。
【０００６】
しかしながら、特許文献１及び２は、いずれも、ブックカバーとしての機能性を確保するための原料選定に止まっており、耐水性には優れている一方、地球環境を保護するという今日の要請に応えられるものではなかった。
【特許文献１】実開昭６０−１０２９６３号公報
【特許文献２】実用新案登録第３１５４４１４号公報
【考案の開示】
【考案が解決しようとする課題】
【０００７】
本考案は、このような従来からの不具合を解決するためのものであり、耐水性に優れると共に、製造時及び廃棄時において地球環境の保護に適した書籍の被覆部材及び書籍を提供することにある。
【課題を解決するための手段】
【０００８】
上記課題達成のため、請求項１記載の考案にあっては、書籍の表表紙を被覆する表表紙被覆部と、上記表表紙に隣接した背表紙を被覆する背表紙被覆部と、上記背表紙に隣接した裏表紙を被覆する裏表紙被覆部とを備え、無機化合物及び合成樹脂が配合されたシートにより形成された書籍の被覆部材において、上記無機化合物は炭酸カルシウム、硫酸カルシウム、硫酸バリウム、カオリン、マイカ、二酸化チタン、珪藻土、赤色ピグメント及びドロマイトが配合されると共に、上記合成樹脂はポリエチレンからなることを特徴とする。
【０００９】
したがって、請求項１記載の考案にあっては、原材料にパルプ等の紙資源を一切使用することなく、上記書籍の被覆部材を製造することができる。
【００１０】
また、一般的に、白い紙を抄くためには、パルプを漂白するために漂白剤を使用する必要がある。しかし、上記書籍の被覆部材は、原料自体の白色度が高いため、上記漂白剤を使用する必要がない。
さらに、紙を抄く際には、上記漂白剤の他に、酸性及びアルカリ性溶液を使用し、使用した化学薬品を大量の水で洗い流す必要がある。しかし、上記書籍の被覆部材は、上記化学薬品を使用する必要がない。
【００１１】
また、上記炭酸カルシウムが配合されていることから、上記シートを抄く際及び焼却する際において、紙製の書籍の被覆部材よりも二酸化炭素排出量が軽減される。
さらに、上記炭酸カルシウムには、塩化水素を中和する働きがあるため、上記書籍の被覆部材以外の廃棄物と共に焼却処理した際には、発生した塩化水素に反応して中和反応を起こす。
【００１２】
また、上記ポリエチレンが配合されていることから、上記書籍の被覆部材は、耐水性に優れると共に、引張強度や耐衝撃性にも優れている。
【００１３】
請求項２記載の考案にあっては、主原料として上記炭酸カルシウムが配合されていると共に、副原料として上記ポリエチレンが配合されていることを特徴とする。
【００１４】
請求項３記載の考案にあっては、上記炭酸カルシウムの配合率は、６０．０〜７３．５％であることを特徴とする。
【００１５】
請求項４記載の考案にあっては、上記ポリエチレンの配合率は、１８．０〜４０．０％であることを特徴とする。
【００１６】
したがって、請求項２から４記載の考案にあっては、上記書籍の被覆部材は、主原料として上記炭酸カルシウムが６０．０〜７３．５％の配合率で配合されていると共に、副原料として上記ポリエチレンが１８．０〜４０．０％の配合率で配合されているため、太陽光が照射された場合には、カルシウム粉末に分解される。
さらに、カルシウム粉末は、地殻で５番目に多く存在する元素であることから、廃棄時には、土壌に回帰されることになる。
【００１７】
請求項５記載の考案にあっては、書籍は、表表紙本体を被覆する表表紙被覆部と、上記表表紙本体に隣接した背表紙本体を被覆する背表紙被覆部と、上記背表紙本体に隣接した裏表紙本体を被覆する裏表紙被覆部とを備え、上記表表紙被覆部、上記背表紙被覆部及び上記裏表紙被覆部は、炭酸カルシウム、硫酸カルシウム、硫酸バリウム、カオリン、マイカ、二酸化チタン、珪藻土、赤色ピグメント、ドロマイト及びポリエチレンの成分により形成されていることを特徴とする。
【００１８】
したがって、請求項５記載の考案にあっては、上記書籍は、耐水性や高引張強度、耐衝撃性を有する。
【考案の効果】
【００１９】
請求項１記載の考案にあっては、書籍の被覆部材は、無機化合物は炭酸カルシウム、硫酸カルシウム、硫酸バリウム、カオリン、マイカ、二酸化チタン、珪藻土、赤色ピグメント及びドロマイトが配合されると共に、合成樹脂はポリエチレンからなるシートにより形成されている。
したがって、上記書籍の被覆部材の製造工程において、原材料にパルプ等の紙資源を一切使用しないため、森林資源を保護することで地球温暖化の促進を抑止し、延いては地球環境を保護することができる。
【００２０】
また、一般的に、白い紙を抄くためには、パルプを漂白するために漂白剤を使用する必要がある。しかし、上記書籍の被覆部材は、原料自体の白色度が高いため、上記漂白剤を使用する必要がなく、かつ防カビ性及び抗菌効果が高いため、安心して衛生的に取り扱うことができる。
さらに、紙を抄く際には、上記漂白剤の他に、酸性及びアルカリ性溶液を使用し、使用した化学薬品を大量の水で洗い流す必要がある。しかし、上記書籍の被覆部材は、上記化学薬品を使用する必要がなく、また、廃水が排出されないため、水質及び大気を汚染することを防止し、延いては地球環境を保護することができる。
【００２１】
また、上記炭酸カルシウムが配合されていることから、上記シートを抄く際及び焼却する際において、紙製の書籍の被覆部材よりも二酸化炭素排出量が軽減されるため、地球温暖化の促進を抑止し、地球環境を保護することができる。
さらに、上記炭酸カルシウムには、塩化水素を中和する働きがあるため、上記書籍の被覆部材以外の廃棄物と共に焼却処理した際には、発生した塩化水素に反応して中和反応を起こす。その結果、大気汚染物質の発生を防止することができ、地球環境を保護することができる。
【００２２】
また、上記ポリエチレンが配合されていることから、上記書籍の被覆部材は、耐水性に優れているため、水に濡れても形状が変化し難い。その結果、水が書籍に浸透することはなく、書籍の外観を良好に維持することができる。
さらに、引張強度や耐衝撃性にも優れているため、紙製の書籍の被覆部材よりも耐久性を有しており、長期間の使用が可能である。
【００２３】
請求項２から４記載の考案にあっては、上記書籍の被覆部材は、主原料として上記炭酸カルシウムが６０．０〜７３．５％の配合率で配合されていると共に、副原料として上記ポリエチレンが１８．０〜４０．０％の配合率で配合されている。
したがって、上記書籍の被覆部材は、太陽光が照射された場合には、カルシウム粉末に分解される。カルシウム粉末は、地殻で５番目に多く存在する元素であることから、廃棄時には、土壌に回帰されることになる。
その結果、請求項１記載の考案の効果に加えて、廃棄時において二酸化炭素を発生させることなく、また、海中では二酸化炭素と化合して炭酸カルシウムを主成分とする堆積岩を形成し、大気中の二酸化炭素量を調節することで地球温暖化の促進を抑止し、地球環境を保護することができる。
【００２４】
請求項５記載の考案にあっては、上記書籍は、炭酸カルシウム、硫酸カルシウム、硫酸バリウム、カオリン、マイカ、二酸化チタン、珪藻土、赤色ピグメント、ドロマイト及びポリエチレンの成分により形成された表表紙被覆部と、背表紙被覆部と、裏表紙被覆部とを備えている。
したがって、上記書籍そのものが耐水性や高引張強度、耐衝撃性を有することから、請求項１から４記載の考案の効果に加えて、書籍を持ち運ぶ際や書籍を取り扱う際に、ハードな状態での使用に耐え、上記書籍の外観を良好に維持した状態で収納し持ち運びすることができる。
【図面の簡単な説明】
【００２５】
【図１】本考案に係る書籍の被覆部材における一実施の形態であって、ブックカバーに適用した場合を示す斜視図である。
【図２】本考案に係る書籍の被覆部材における一実施の形態であって、ブックカバーの断面図である。
【図３】本考案に係る書籍の被覆部材における他の実施の形態であって、書籍の裏表紙をブックカバーの裏表紙被覆部に被覆した状態を示す斜視図である。
【図４】本考案に係る書籍の一実施の形態を示す斜視図である。
【考案を実施するための最良の形態】
【００２６】
以下、添付図面に示す実施の形態に基づき、本考案を詳細に説明する。
図１に示すように、本実施の形態に係る書籍の被覆部材は、いわゆるブックカバーとして形成され、全体略横長布状に形成されると共に、書籍の表表紙を被覆する表表紙被覆部１１と、書籍の背表紙を被覆する背表紙被覆部１２と、書籍の裏表紙を被覆する裏表紙被覆部１３とを備え、表表紙被覆部１１と背表紙被覆部１２と裏表紙被覆部１３とは、一体に形成されている。
【００２７】
本実施の形態にあっては、ブックカバー１０の一方端部１４には、表表紙被覆部１１の幅方向に沿って折り返し部１５が形成されていると共に、他方端部１６には、裏表紙被覆部１３の幅方向に沿って折り返し部１７が形成されている。
【００２８】
図２は、本考案に係る書籍の被覆部材における一実施の形態であって、ブックカバー１０の断面図である。
図２に示すように、ブックカバー１０は、ポリエチレン樹脂１８に無機化合物として、炭酸カルシウム１９、硫酸カルシウム２０、硫酸バリウム２１、カオリン２２、マイカ２３、二酸化チタン２４、珪藻土２５、赤色ピグメント２６及びドロマイト２７が配合されている。
【００２９】
本実施の形態にあっては、ブックカバー１０は、主原料としては炭酸カルシウム１９が７３．５％配合されていると共に、副原料としてはポリエチレン樹脂１８が１８．０％配合されている。
尚、ポリエチレン樹脂１８は、密度が０．９４２以上である高密度ポリエチレン（ＨＤＰＥ）樹脂が使用されている。ＨＤＰＥ樹脂は、エチレン樹脂が分岐構造を持たず直鎖状に結合した結晶化度の高い合成樹脂であり、他のポリエチレン樹脂よりも硬質である。
一般的に、結晶化度の高いＨＤＰＥ樹脂は、融点が上昇し、硬度及び剛性が増すため、高引張強度、耐衝撃性を有する。
【００３０】
しかしながら、結晶化度が高まり密度が０．９７前後となると、結合力は小さくなり脆くなる。したがって、ＨＤＰＥ樹脂には、主に、１−ブテン等のα−オレフィンと共重合させ、短い分岐構造を持たせることで、結晶化度を意図的に下げたＨＤＰＥ共重合体が利用されている。
通常では、エチレンモノマー１０００に対し、１から５の分岐構造を有する。
【００３１】
また、炭酸カルシウムを除く無機化合物は、６．５％配合されており、ポリエチレン樹脂１８を除く合成樹脂が２．０％配合されている。
【００３２】
尚、本実施の形態にあっては、炭酸カルシウム１９が７３．５％の配合率で配合されていると共に、ポリエチレン樹脂１８が１８．０％の配合率で配合されている場合を例に説明したが、本実施の形態に限定されず、例えば、炭酸カルシウム１９を６０．０％、ポリエチレン樹脂１８を４０．０％の配合率で配合し、硬質を有するポリエチレン樹脂１８の配合割合を増加させることで、高引張強度、耐衝撃性を向上させることができる。
【００３３】
図３は、本考案に係る書籍の被覆部材における他の実施の形態であって、書籍３１の裏表紙３２をブックカバー３０の裏表紙被覆部３３により被覆した状態を示す斜視図である。図１に示した実施の形態と異なる点のみを説明する。
図３に示すように、本実施の形態に係るブックカバー３０は、図１に示したブックカバー１０における、折り返し部１５、１７の構成が異なり、裏表紙被覆部３３は、幅方向に沿って折り返し部３４が形成されていると共に、折り返し部３４の長さ方向上端部３５及び下端部３６は、裏表紙被覆部３３に溶着され、溶着部３７、３８を形成している。
溶着部３７、３８の溶着方法は限定されず、例えば、ヒートシーラーによって熱溶着される。
【００３４】
尚、本実施の形態にあっては、書籍３１の裏表紙３２をブックカバー３０の裏表紙被覆部３３に被覆している状態を例に説明したが、書籍３１の表表紙（図示せず）を被覆する表表紙被覆部３９は、裏表紙被覆部３３と同様に幅方向に沿って折り返し部４０が形成されていると共に、折り返し部４０の長さ方向上端部（図示せず）及び下端部４１は、表表紙被覆部３９に溶着されるよう構成されている。
【００３５】
したがって、本実施の形態にあっては、ブックカバー３０を被覆した書籍３１を飲食物と共にバッグ等に収納した場合であっても、書籍３１が吸水することを防止できるため、ブックカバー３０及び書籍３１の形状が変化し外観が損なわれることはなく、有効に書籍３１を防護することができる。
【００３６】
また、図１及び図３に示したブックカバー１０、３０にあっては、折り返し部１５、１７、３４、４０は、表表紙被覆部１１、３９及び裏表紙被覆部１３、３３の幅方向に沿って形成されているが、長さ方向に沿って形成しても良い。
【００３７】
図４は、本考案に係る書籍の一実施の形態を示す斜視図である。
図４に示すように、本実施の形態に係る書籍５０にあっては、表表紙本体５１、背表紙本体５２及び裏表紙本体５３の表面に夫々、本考案に係る無機化合物（図示せず）及び合成樹脂（図示せず）を成分とする表表紙被覆部５４、背表紙被覆部５５及び裏表紙被覆部５６が一体に形成されている。
【００３８】
したがって、書籍５０を飲食物と共にバッグ等に収納した場合であっても、各表紙本体５１、５２及び５３が吸水することを防止できるため、書籍５０の形状が変化し外観が損なわれることはなく、有効に防護することができる。
また、書籍５０に適用することで、別途にブックカバーを付ける必要性はなく、ブックカバーが廃棄物として発生することはなくなる。その結果、焼却による二酸化炭素排出量もなくなるため、地球温暖化の促進を抑止し、地球環境を保護することができる。
【００３９】
尚、本考案に係る書籍の被覆部材及び書籍においては、一実施の形態として、ブックカバー１０、３０、書籍５０に適用した場合を例に説明したが、本実施の形態に限定されず、手帳や日記帳、アルバム等の帳面、または、カードホルダーやカードブック等の被覆部材及び書籍も適用できる。
【産業上の利用可能性】
【００４０】
従って、本考案に係る書籍の被覆部材及び書籍は、耐水性に優れ、製造時及び廃棄時において地球環境の保護に適すると共に、多種多様な被覆部材及び書籍に適用できるため、産業上の利用可能性を有している。
【符号の説明】
【００４１】
１０  ブックカバー
１１  表表紙被覆部
１２  背表紙被覆部
１３  裏表紙被覆部
１４  一方端部
１５  折り返し部
１６  他方端部
１７  折り返し部
１８  ポリエチレン樹脂
１９  炭酸カルシウム
２０  硫酸カルシウム
２１  硫酸バリウム
２２  カオリン
２３  マイカ
２４  二酸化チタン
２５  珪藻土
２６  赤色ピグメント
２７  ドロマイト
３０  ブックカバー
３１  書籍
３２  裏表紙
３３  裏表紙被覆部
３４  折り返し部
３５  長さ方向上端部
３６  長さ方向下端部
３７  溶着部
３８  溶着部
３９  表表紙被覆部
４０  折り返し部
４１  長さ方向下端部
５０  書籍
５１  表表紙本体
５２  背表紙本体
５３  裏表紙本体
５４  表表紙被覆部
５５  背表紙被覆部
５６  裏表紙被覆部
【図１】
0003186138.tif 000003
【図２】
0003186138.tif 000004
【図３】
0003186138.tif 000005
【図４】
0003186138.tif 000006